(57)【要約】【課題】充分な強度を有し、搬送用パレットデッキとの接着作業性も良好で、接合強度も大きくできる桁部材及びそれを用いたパレットを提供することである。【解決手段】支持パネル１１と包被パネル１５より成り、支持パネル１１を角筒状に巻き上げて積層角筒体１６を形成し、この角筒体１６の両端面に包被パネル１５を重ね合せて桁部材１０とする。この桁部材１０を上面デッキと下面デッキの間に固着して搬送用パレットを形成する。【選択図】図２
2007326612.tif 000002
【特許請求の範囲】
【請求項１】
連続して巻回することによって２層以上の周壁を有する積層角筒体を形成するシート状支持パネルと、前記角筒体の少なくとも端面を封止する平坦なシート状包被パネルより成る桁部材。
【請求項２】
前記支持パネルの最終巻回層に前記包被パネルが連続して形成された請求項１に記載の桁部材。
【請求項３】
前記積層角筒体が４角柱形状である請求項１または２に記載の桁部材。
【請求項４】
請求項１〜３のいずれかに記載の桁部材を包装箱の下面の少なくとも隅角部に着脱自在に取り付けた包装体。
【請求項５】
請求項１〜３のいずれかに記載の桁部材を上面デッキの少なくとも隅角部に固着した搬送用パレット。
【請求項６】
請求項１〜３のいずれかに記載の桁部材を上面デッキと下面デッキの間の少なくとも隅角部に挟持固着した搬送用パレット。
【発明の詳細な説明】
【技術分野】
【０００１】
この発明は、段ボール紙又はプラスチック製のシート材から成る貨物搬送用パレット等の桁部材及びその桁部材を用いたパレットに関する。
【背景技術】
【０００２】
従来から貨物搬送用に木製のパレットが広く用いられてきたが、輸入検疫規制の強化や自然環境保護の観点から、木製に代わる段ボール紙から成るパレットが注目をあびている。この種のパレットは、薫蒸処理の必要がなく、軽量であることなど、多くの利点を有するが、強度上問題があり、様々な工夫がなされている。
【０００３】
例えば図７に示すように、長方形状段ボール紙４１を多数枚重ね合せた桁部材４０で上面デッキ４２を支持するようにしたパレットがある。しかしこのようなパレットでは、桁部材４０と上面デッキ４２とを接合する際、桁部材４０を形成する段ボール紙４１の端面（切断面）を上面デッキ４２の底面に当接して接着する必要がある。この段ボール紙４１の端面は、段ボール紙４１のライナに挟持された波形中芯が露出した状態になっており、かつそれらが並列して桁部材４０となっており、空隙が多く平坦面になっていないため、接着性が極めて悪く接着作業に手間がかかり、しかも接合強度が低くまた浸水し易い等の問題がある。
【０００４】
さらに、図８に示すように、帯状の段ボール紙４１ａを角柱形に巻回した桁部材４０ａもあるが、上述の積層桁部材と同様の問題がある。そのほか、紙管形態の桁部材やハニカム構造の桁部材が見られるが、いずれも同様の問題を有している。
【発明の開示】
【発明が解決しようとする課題】
【０００５】
そこで、この発明の課題は、充分な強度を有し、デッキとの接着作業性が良く、安価で接合強度も優れた桁部材及びそれを用いたパレットを提供することである。
【課題を解決するための手段】
【０００６】
上記の課題を解決するために、この発明においては、連続して巻回することによって２層以上の周壁を有する積層角筒体を形成するシート状支持パネルと、前記角筒体の少なくとも端面を封止する平坦なシート状包被パネルによって桁部材を形成したのである。この包被パネルは、前記支持パネルの最終巻回層に連続させておくのが好ましい。また、前記角筒体は４角柱形状が好ましい。
【０００７】
前記桁部材を包装箱の下面に装着することができる。また、上面デッキの下面もしくは上面デッキと下面デッキの間に固着すれば搬送用パレットが出来上る。
【発明の効果】
【０００８】
上述のようにシート状物を巻回した積層角筒体の端面は、シート状物の切断端縁が重なり合って露出しているが、この端面を平坦なシート状物で封止することによって、パレットのデッキとの接着が容易に行われ、また接着強度も向上し、耐水性も高まる。
【発明を実施するための最良の形態】
【０００９】
以下、この発明の実施形態を図１乃至図６に基づいて説明する。図１はこの発明に係る桁部材の展開図である。図示のように、桁部材１０は、長尺の長方形状支持材パネル１１と、この支持パネル１１の長さ方向に沿って接続された長方形状包被パネル１５より成る。支持パネル１１と包被パネル１５は、縦方向折り目１４ａによって接続され、折り目１４ａの内側は包被パネル１５の内端まで貫通切り目１４ｂとなっている。
【００１０】
前記支持パネル１１は、４つの区画１１ａ、１１ｂ、１１ｃ、１１ｄに横方向折り目１２ａ、１２ｂ、１２ｃによって分割され、各区画は横方向折り目１３ａ、１３ｂ、１３ｃ、１３ｄによって４等分されている。そして、最初の区画１１ａの４等分された単一パネルＡの巾は、次の区画１１ｂの４等分された単一パネルＢの巾よりも材料（例えば段ボール紙）の略厚み分だけ小さい。逆に言えば、パネルＢの巾は、パネルＡの巾よりもほぼ材料の厚み分だけ大きく、同様にパネルＣの巾はパネルＢのそれよりもほぼ厚み分だけ大きく、パネルＤの巾はパネルＣのそれよりもほぼ厚み分だけ大きくしてある。
【００１１】
前記包被パネル１５は、横方向折り目１５ａによって単一パネルＥに区画され、この単一パネルＥの巾は、前記単一パネルＤの巾よりもほぼ材料の厚み分だけ大きくしてある。なお、この例では単一パネルＥは４個でもよいし、５個以上でもよい。
【００１２】
上記の桁部材１０を組立てるには、図２（イ）に示すように、まず支持パネル１１の最初の単一パネルＡを折り目１３ａに沿って角筒状に折り曲げ、その角筒体を矢印方向に隣接する単一パネルＢに重ねて順次巻き上げるようにしていくと、図２（ロ）に示すような、単一パネルＡＢＣＤが４重に重ね合された周壁を有する積層角筒体１６が出来上る。このとき、単一パネルによって形成される角筒体は、外側に形成されるものほど少なくとも材料の厚み分だけ内径が大きくなるようにしてあるので、上記のように順次巻き上げていく際に支障なくスムーズに作業を行なうことができる。
【００１３】
次に出来上った積層角筒体１６を図２（ハ）に示すように、折り目１４ａに沿って包被パネル１５の方向に折り曲げると、積層角筒体１６の一方の端面が包被パネル１５の最初の単一パネルＥによって被われる。さらに、折り目１５ａに沿って包被パネル１５を積層角筒体１６の周囲に巻き付けていくと、最初から３番目の単一パネルＥによって積層角筒体１６の他方の端面が被われる。そして最終の単一パネルＥを適当な接着剤によって角筒体１６の壁面または最初の単一パネルＥの外面に固着すると図２（ニ）に示すような桁部材１０が完成する。
【００１４】
図３及び図４に示すように、前記包被パネル１５は、必ずしも支持パネル１１の後端に合致させて接続する必要はなく、最終区画１１ｄを形成する単一パネルＥのいずれかに折り目１４ａを介して接続すればよい。その場合、折り目１４ａ以外の支持パネル１１に隣接する包被パネル１５の側縁は切り目１４ｂとする。
【００１５】
前記支持パネル１１の区画数は４個、即ち積層角筒体１６の周壁を４重としたがこれに限定されず、複数であればいずれにしてもよい。また、積層角筒体を形成する際に、適当な個所を接着することができる。包被パネル１５を巻き付ける際も同様である。さらに包被パネル１５は、支持パネル１１と直角方向に形成してもよく、或は分離していてもよい。
【００１６】
桁部材１０の材料は、段ボール紙が一般的である。段ボール紙を用いる場合は、段付き中芯の段が積層角筒体の端面に現れるように配置すると強度が向上する。段ボール紙以外の厚紙や、プラスチック製の段ボール等のフレキシブルなシート材料を用いることができる。
【００１７】
このような桁部材１０は、例えば図５に示すようなパレット２０に用いることができる。図示のように、段ボール紙等より成る平板状上面デッキ２１と下面デッキ２２の間に、桁部材１０が４隅及び適宜個所に固着されている。桁部材１０は、前記のように平坦な包被パネル１５が積層角柱体１６の両端面を被覆しているので、上下デッキ２１と２２に容易かつ強固に固着することができ、パレット製造効率を高め強度及び耐久性も向上させることができる。
【００１８】
上記桁部材１０は、図６のように用いることができる。例えば桁部材１０の上面（積層角柱体１６の端面を被う面）に両面粘着テープを貼り付け、必要に応じて包装箱３０の下面に固着する。このようにすると、フォークリフトで容易に包装箱３０を搬送することができ、不要になれば桁部材１０を簡単に取り外すことができる。
【００１９】
桁部材１０の平面形状は４角形が一般的であるが、その他の多角形に形成することも可能である。
【図面の簡単な説明】
【００２０】
【図１】この発明の桁部材の例を示す展開平面図
【図２】桁部材の組立手順を示す斜視図
【図３】桁部材の他の実施形態を示す展開平面図
【図４】桁部材のさらに他の実施形態を示す展開平面図
【図５】桁部材を用いたパレットを示す斜視図
【図６】桁部材の他の使用例を示す斜視図
【図７】従来のパレットを示す部分斜視図
【図８】従来の桁部材を示す斜視図
【符号の説明】
【００２１】
１０    桁部材
１１    支持パネル
１１ａ、１１ｂ、１１ｃ、１１ｄ    区画
１２ａ、１２ｂ、１２ｃ    折り目
１３ａ、１３ｂ、１３ｃ、１３ｄ    折り目
１４ａ    折り目
１４ｂ    切り目
１５    包被パネル
１５ａ    折り目
１６    積層角筒体
２０    パレット
２１    上面デッキ
２２    下面デッキ
３０    包装箱
４０、４０ａ    桁部材
４１、４１ａ    段ボール紙
４２    上面デッキ
Ａ、Ｂ、Ｃ、Ｄ、Ｅ    単一パネル
【図１】
2007326612.tif 000003
【図２】
2007326612.tif 000004
【図３】
2007326612.tif 000005
【図４】
2007326612.tif 000006
【図５】
2007326612.tif 000007
【図６】
2007326612.tif 000008
【図７】
2007326612.tif 000009
【図８】
2007326612.tif 000010